(57)【要約】【課題】本発明は、クロスヘッド内部温度をパリソン設定波形の補正に用い、安定した中空成形品を得ることを目的とする。【解決手段】本発明による中空成形機用パリソン肉厚調整方法及び装置は、パリソン(8)の肉厚(9)を調整するためのパリソンコントローラ(10)は、クロスヘッド(2)に設けられた温度検出センサ(42)から検出されたクロスヘッド(2)内のクロスヘッド内部温度(40a)を成形条件であるパリソン設定波形(32a)の補正に用いる方法と構成である。【選択図】図１
2012245693.tif 000002
【特許請求の範囲】
【請求項１】
クロスヘッド(2)の下部のダイ(4)とコア(3)間に形成されたダイギャップ(7)からパリソン(8)を吐出垂下させる場合に、前記クロスヘッド(2)の上部に設けられパリソンコントローラ(10)により制御される肉厚調整装置(5)によって前記ダイギャップ(7)を調整し、前記パリソン(8)の肉厚(9)を変えるようにした中空成形機用パリソン肉厚調整方法において、
前記パリソンコントローラ(10)は、前記クロスヘッド(2)に設けられた温度検出センサ(42)から検出された前記クロスヘッド(2)内のクロスヘッド内部温度(40a)を成形条件であるパリソン設定波形(32a)の補正に用いることを特徴とする中空成形機用パリソン肉厚調整方法。
【請求項２】
前記パリソンコントローラ(10)は、前記クロスヘッド内部温度(40a)をパラメータとした補正式(40b)を作成する演算部(34)と、前記演算部(34)に入力するための成形条件決定時のパリソン設定波形(32a)を作成するためのパリソン波形設定部(32)と、前記演算部(34)に入力するためのクロスヘッド内部温度(40a)を作成するためのクロスヘッド内部温度作成部(41)と、前記演算部(34)の前記クロスヘッド内部温度(40a)をパラメータとした補正式(40b)に基づいて作成した補正後パリソン設定波形(25a)を前記肉厚調整装置(5)に入力するための補正後パリソン波形設定部(25)とからなることを特徴とする請求項１記載の中空成形機用パリソン肉厚調整方法。
【請求項３】
前記クロスヘッド内部温度(40a)をパラメータとした前記パリソン設定波形(32a)の補正式(40b)を前記演算部(34)で作成し、前記演算部(34)で前記パリソン(8)の成形条件を決定した際の前記クロスヘッド内部温度(40a)と成形初期のクロスヘッド内部温度(40a)との差から前記クロスヘッド内部温度(40a)をパラメータとした前記補正式(40b)にて計算を行い、前記補正式(40b)は、ウェイト補正モード、拡大率補正モード、１次、２次補正モード及び実測値補正モードの何れかであることを特徴とする請求項１又は２記載の中空成形機用パリソン肉厚調整方法。
【請求項４】
前記実測値補正モードは、予め設定された２つの異なる設定温度によって前記成形条件を決定し、前記２つの成形条件の前記各クロスヘッド内部温度(40a)の差から前記補正式(40b)を決定することを特徴とする請求項１ないし３の何れかに記載の中空成形機用パリソン肉厚調整方法。
【請求項５】
クロスヘッド(2)の下部のダイ(4)とコア(3)間に形成されたダイギャップ(7)からパリソン(8)を吐出垂下させる場合に、前記クロスヘッド(2)の上部に設けられパリソンコントローラ(10)により制御される肉厚調整装置(5)によって前記ダイギャップ(7)を調整し、前記パリソン(8)の肉厚(9)を変えるようにした中空成形機用パリソン肉厚調整装置において、
前記パリソンコントローラ(10)は、前記クロスヘッド(2)に設けられた温度検出センサ(42)から検出された前記クロスヘッド(2)内のクロスヘッド内部温度(40a)を成形条件であるパリソン設定波形(32a)の補正に用いることを特徴とする中空成形機用パリソン肉厚調整装置。
【請求項６】
前記パリソンコントローラ(10)は、前記クロスヘッド内部温度(40a)をパラメータとした補正式(40b)を作成する演算部(34)と、前記演算部(34)に入力するための成形条件決定時のパリソン設定波形(32a)を作成するためのパリソン波形設定部(32)と、前記演算部(34)に入力するためのクロスヘッド内部温度(40a)を作成するためのクロスヘッド内部温度作成部(41)と、前記演算部(34)の前記クロスヘッド内部温度(40a)をパラメータとした補正式(40b)に基づいて作成した補正後パリソン設定波形(25a)を前記肉厚調整装置(5)に入力するための補正後パリソン波形設定部(25)とからなることを特徴とする請求項５記載の中空成形機用パリソン肉厚調整装置。
【請求項７】
前記クロスヘッド内部温度(40a)をパラメータとした前記パリソン設定波形(32a)の補正式(40b)を前記演算部(34)で作成し、前記演算部(34)で前記パリソン(8)の成形条件を決定した際の前記クロスヘッド内部温度(40a)と成形初期のクロスヘッド内部温度(40a)との差から前記クロスヘッド内部温度(40a)をパラメータとした前記補正式(40b)にて計算を行い、前記補正式(40b)は、ウェイト補正モード、拡大率補正モード、１次、２次補正モード及び実測値補正モードの何れかであることを特徴とする請求項５又は６記載の中空成形機用パリソン肉厚調整装置。
【請求項８】
前記実測値補正モードは、予め設定された２つの異なる設定温度によって前記成形条件を決定し、前記２つの成形条件の前記各クロスヘッド内部温度(40a)の差から前記補正式(40b)を決定することを特徴とする請求項５ないし７の何れかに記載の中空成形機用パリソン肉厚調整装置。
【発明の詳細な説明】
【技術分野】
【０００１】
本発明は、中空成形機用パリソン肉厚調整方法及び装置に関し、特に、クロスヘッド内部温度をパリソン設定波形の補正に用い、安定した中空成形品を得るための新規な改良に関する。
【背景技術】
【０００２】
従来、用いられていたこの種の中空成形機用パリソン肉厚調整方法及び装置としては、例えば、特許文献１〜３に開示された方法を挙げることができる。
まず、代表的な方法として、前述の特許文献１に開示されたパリソン肉厚制御回路及びそれを用いた中空成形機の肉厚調整方法においては、図５及び図６に示されるように、パリソン下端と基準位置間の距離をパリソン長検出用リニアセンサで検出した検出信号を用い、パリソン設定波形の重みを補正することによって得たパリソン設定波形を用いて中空成形機の肉厚調整装置を制御してパリソンのパリソン長を一定に制御するものである。
すなわち、図５において符号１で示されるものは一部を省略した中空成形機であり、この中空成形機１のクロスヘッド２にはコア３を内設したダイ４が設けられている。
前記クロスヘッド２の上部には、エアモータ又は電動モータ等の駆動体からなる肉厚調整装置５が設けられ、この肉厚調整装置５に接続されたコアロッド６によって前記コア３の上下動が自在に行われ、コア３とダイ４との間に形成された輪状の吐出口であるダイギャップ７から押出されるパリソン８の肉厚９を制御することができるように構成されている。
【０００３】
前記ダイ４の下方位置には、前記パリソン８のパリソン下端２０と床等の基準位置２１との間の距離２２を検出し、パリソン８の実際の長さ（パリソン長）を直接検出するためのパリソン長検出用リニアセンサ２３が設けられており、このパリソン長検出用リニアセンサ２３は、例えば、超音波又はレーザ等のセンサで構成されている。尚、前記距離２２の検出によりパリソン８の長さが検出できるように予め設定されている。
【０００４】
前記パリソン長検出用リニアセンサ２３で検出されたパリソン８の長さ（パリソン長）を示す検出信号２４は、前記肉厚調整装置５を制御するためのパリソン肉厚指令２５を出力するためのパリソン肉厚制御回路１０に入力されている。
【０００５】
前記パリソン肉厚制御回路１０は、パリソン設定値３０ａを設定するパリソン設定部３０と、前記パリソン設定値３０ａが入力され図５で示されるようにオペレータが操作するパリソン８の波形設定値３１（肉厚プロファイル）を設定するためのパリソン波形設定部３２と、前記パリソン設定値３０ａが入力され前記パリソン８の波形設定値３１におけるパリソン８の重み設定値３３を設定するためのパリソン重み設定部３６と、前記重み設定値３３が入力される減算部３４と、前記減算部３４からの減算出力３４ａ及び前記波形設定値３１が入力される加算部３５と、前記検出信号２４を取り込み予め決められた値に対する偏差２４ａを前記減算部３４に入力するための肉厚補正演算部２４Ａとよりなり、前記加算部３５から前記パリソン肉厚指令２５が出力されるように構成されている。
【０００６】
前記パリソン８は、単位時間毎にカッティングされ、それを中空成形機に組み込まれた金型で挟み成形している。この単位時間当たりの押出しを、１ショットとしている。この１ショットを押出す過程において、時間毎にオペレータがパリソン８の設定を行う。これがいわゆるパリソンコントロールである。
このパリソンコントロールは、時間軸に対し、図２のように、肉厚を可変させるという制御であるが、その設定はオペレータがそれぞれ、肉厚プロファイルと呼ばれるパリソンの波形設定値３１（Ｘ軸が時間、Ｙ軸が肉厚）を設定し、それに基づき肉厚調整装置５を制御している。
このオペレータの設定したパリソンの波形設定値３１は、データとして図示しないメモリに保存され、いつでも読み出すことが可能となっている。
【０００７】
従って、成形開始直後は、クロスヘッド２の温度、樹脂圧力、樹脂温度等の影響で、パリソン８の肉厚９は安定しない（再現性がない）。しかし数時間経過後は安定したパリソン８となり、毎ショット安定した肉厚９となる（再現性がある）。よって、安定するまでの数時間は、オペレータがパリソンコントロールを行い、微調整を繰返している。一度設定したパリソンの波形設定値３１は、運転開始時には調節するものの、結局は前日設定した波形設定値３１通りとなる。
前記クロスヘッド２から出てくる１ショットのパリソン８の量は、ほぼ安定している。従って、肉厚の厚薄によってパリソン長さが変化することになる。肉厚が厚くなるとパリソン長は短く（基準位置２１からパリソン下端２０までの距離２２は長く）、薄くなるとパリソン長は長く（基準位置２１からパリソン下端２０までの距離２２は短く）なる。
このパリソン長さが一定でないと、それを金型で挟み成形した場合、製品とバリ（金型からはみ出した部分）との割合が変わってしまうことになり、成形品が不安定な重量となってしまう。
【０００８】
まず、クロスヘッド２のダイ４の下方に設けたパリソン長検出用リニアセンサ２３を用いると共に、クロスヘッド２からはパリソン８をある決められた量で押出しを続ける。このパリソン８は一定時間毎（１ショット又は１サイクル）にカッティングされ下方の図示しない金型に挟まれて成形されるが、その１ショット毎のパリソン長を測定して検出信号２４が前記肉厚補正演算部２４Ａに入力される。
【０００９】
従って、オペレータがパリソン設定部３０で設定したパリソン設定値３０ａを波形設定値３１と重み設定値３３に分割して減算部３４と加算部３５に入力し、前述の偏差２４ａを用いて重み設定値３３を補正し、前記波形設定値３１と減算出力３４ａを用いて得たパリソン肉厚指令２５が肉厚調整装置５に入力されてコア３が上下動し、パリソン８の肉厚９が自在に制御される。
尚、オペレータが設定したパリソンの波形設定値３１はその特徴が従来のように消されることもなく前記メモリ内に保持され、パリソンコントロールの補正を行うことができる。
【００１０】
また、前述の特許文献２に開示されたパリソン肉厚調整方法及び装置においては、図示していないが、パリソン設定波形の補正を１次、２次曲線にて補正を行っていた。
また、前述の特許文献３に開示されたパリソン肉厚調整方法及び装置においては、図示していないが、パリソン設定波形の補正をパリソン上部、中部、下部に３分割して補正することにより、補正の自由度を上げたものである。
【先行技術文献】
【特許文献】
【００１１】
【特許文献１】特開２００６−３０５８８１号公報
【特許文献２】特開２００７−２９６７８６号公報
【特許文献３】特開２００８−２５４２６７号公報
【発明の概要】
【発明が解決しようとする課題】
【００１２】
従来の中空成形機用パリソン肉厚調整方法及び装置は、以上のように構成されているため、次のような課題が存在していた。
すなわち、前述の特許文献１〜３の方法の場合、何れもパリソン長を一定に保つこと、また、成形中に変化していくパリソン長を補正していくことに着目されている。
しかし、通常成形条件つまり基準位置は試作成形により決定される。そして生産運転は後日行われるため、特許文献１のように、パリソン下端と基準位置間の距離を測定し、パリソン下端と基準位置を合わせる方法では、クロスヘッド内部温度が上昇しきっておらず、１ショット目はパリソンが短く成形が失敗することは明らかである。更に既に押し出されたパリソンのパリソン長を検出するため、パリソン設定波形の補正に時間的誤差が生まれる。また、この方法は押出量が一定であることが前提になっている。つまり、押出量が下がるとパリソン長が短くなる。するとパリソン長を補正するためにパリソン設定波形のウェイトを減らす。これにより、中空成形された成形品としての例えばタンクは肉厚が薄くなり、強度不足等の不良が発生する。また、逆に押出量が上がった場合は、タンクの肉厚は厚くなり、容量不足、重量オーバー等の不良が発生することが考えられる。パリソン設定波形の補正に関する前述の特許文献２及び３の方法では、波形の初期補正についてはオペレータに依存しており個人差が出てしまうことになっていた。
【００１３】
また、従来、一般に、クロスヘッドのヒータはクロスヘッドの周りに設けられているため、その中心部になるほど昇温が遅い。また、加熱された溶融樹脂がクロスヘッドを通過することにより、クロスヘッド内部温度は運転中徐々に上昇する。従来、クロスヘッド内部温度は温度管理、異常有無確認のため測定されていたが、クロスヘッド内部温度をパリソン設定波形の補正に使用することは全く行われていなかった。
【００１４】
そこで本発明は前述のような従来のものの課題を解決するためになされたもので、パリソン長の変化に大きく影響するドローダウン、つまり樹脂温度に着目し、成形初期から安定期にかけて変化していくクロスヘッド内部温度をパラメータにすることにより、成形初期にオペレータがパリソン設定波形を変更しなくても、安定して成形でき、またそれに伴いオペレータの個人差が中空成形に影響することのないような装置を提供することを目的としている。
【課題を解決するための手段】
【００１５】
本発明による中空成形機用パリソン肉厚調整装置は、クロスヘッドの下部のダイとコア間に形成されたダイギャップからパリソンを吐出垂下させる場合に、前記クロスヘッドの上部に設けられパリソンコントローラにより制御される肉厚調整装置によって前記ダイギャップを調整し、前記パリソンの肉厚を変えるようにした中空成形機用パリソン肉厚調整方法において、前記パリソンコントローラは、前記クロスヘッドに設けられた温度検出センサから検出された前記クロスヘッド内のクロスヘッド内部温度を成形条件であるパリソン設定波形の補正に用いる方法であり、また、前記パリソンコントローラは、前記クロスヘッド内部温度をパラメータとした補正式を作成する演算部と、前記演算部に入力するための成形条件決定時のパリソン設定波形を作成するためのパリソン波形設定部と、前記演算部に入力するためのクロスヘッド内部温度を作成するためのクロスヘッド内部温度作成部と、前記演算部の前記クロスヘッド内部温度をパラメータとした補正式に基づいて作成した補正後パリソン設定波形を前記肉厚調整装置に入力するための補正後パリソン波形設定部とからなる方法であり、また、前記クロスヘッド内部温度をパラメータとした前記パリソン設定波形の補正式を前記演算部で作成し、前記演算部で前記パリソンの成形条件を決定した際の前記クロスヘッド内部温度と成形初期のクロスヘッド内部温度との差から前記クロスヘッド内部温度をパラメータとした前記補正式にて計算を行い、前記補正式は、ウェイト補正モード、拡大率補正モード、１次、２次補正モード及び実測値補正モードの何れかである方法であり、また、前記実測値補正モードは、予め設定された２つの異なる設定温度によって前記成形条件を決定し、前記２つの成形条件の前記各クロスヘッド内部温度の差から前記補正式を決定する方法であり、また、本発明による中空成形機用パリソン肉厚調整装置は、クロスヘッドの下部のダイとコア間に形成されたダイギャップからパリソンを吐出垂下させる場合に、前記クロスヘッドの上部に設けられパリソンコントローラにより制御される肉厚調整装置によって前記ダイギャップを調整し、前記パリソンの肉厚を変えるようにした中空成形機用パリソン肉厚調整装置において、前記パリソンコントローラは、前記クロスヘッドに設けられた温度検出センサから検出された前記クロスヘッド内のクロスヘッド内部温度を成形条件であるパリソン設定波形の補正に用いる構成であり、また、前記パリソンコントローラは、前記クロスヘッド内部温度をパラメータとした補正式を作成する演算部と、前記演算部に入力するための成形条件決定時のパリソン設定波形を作成するためのパリソン波形設定部と、前記演算部に入力するためのクロスヘッド内部温度を作成するためのクロスヘッド内部温度作成部と、前記演算部の前記クロスヘッド内部温度をパラメータとした補正式に基づいて作成した補正後パリソン設定波形を前記肉厚調整装置に入力するための補正後パリソン波形設定部とからなる構成であり、また、前記クロスヘッド内部温度をパラメータとした前記パリソン設定波形の補正式を前記演算部で作成し、前記演算部で前記パリソンの成形条件を決定した際の前記クロスヘッド内部温度と成形初期のクロスヘッド内部温度との差から前記クロスヘッド内部温度をパラメータとした前記補正式にて計算を行い、前記補正式は、ウェイト補正モード、拡大率補正モード、１次、２次補正モード及び実測値補正モードの何れかである構成であり、また、前記実測値補正モードは、予め設定された２つの異なる設定温度によって前記成形条件を決定し、前記２つの成形条件の前記各クロスヘッド内部温度の差から前記補正式を決定する構成である。
【発明の効果】
【００１６】
本発明による中空成形機用パリソン肉厚調整装置は、以上のように構成されているため、次のような効果を得ることができる。
すなわち、クロスヘッドの下部のダイとコア間に形成されたダイギャップからパリソンを吐出垂下させる場合に、前記クロスヘッドの上部に設けられパリソンコントローラにより制御される肉厚調整装置によって前記ダイギャップを調整し、前記パリソンの肉厚を変えるようにした中空成形機用パリソン肉厚調整方法において、前記パリソンコントローラは、前記クロスヘッドに設けられた温度検出センサから検出された前記クロスヘッド内のクロスヘッド内部温度を成形条件であるパリソン設定波形の補正に用いることにより、クロスヘッド内部温度をパラメータにした補正式を使用することにより、成形初期から安定した成形を行うことができる効果がある。また、オペレータによるパリソン設定波形の調整が無いため、オペレータによる個人差が出ないといった効果もある。更にクロスヘッド内部温度安定、つまりパリソンのドローダウン量が安定した後に押出量が増減しても間違った補正を行うことは無いという効果がある。
【００１７】
また、前記クロスヘッド内部温度をパラメータとした前記パリソン設定波形の補正式を前記演算部で作成し、前記演算部で前記パリソンの成形条件を決定した際の前記クロスヘッド内部温度と成形初期のクロスヘッド内部温度との差から前記クロスヘッド内部温度をパラメータとした前記補正式にて計算を行い、前記補正式は、ウェイト補正モード、拡大率補正モード、１次、２次補正モード及び実測値補正モードの何れかであると共に、パリソン設定波形の補正式については、実測値補正モードは２つの異なる設定温度にて成形条件を決定し、２つの成形条件のクロスヘッド内部温度差から波形設定値の補正式を決定するものであるため、パラメータの入力が必要なく経験による調整も必要ないという画期的な効果がある。
【図面の簡単な説明】
【００１８】
【図１】本発明による中空成形機用パリソン肉厚調整方法及び装置の概略構成図である。
【図２】本発明における補正後パリソン設定波形を示す波形図である。
【図３】本発明における補正式を作る場合の４つの補正モードを示す図式である。
【図４】本発明における補正式の各補正モードのフローを示すフロー図である。
【図５】従来方法を示す概略構成図である。
【図６】図５の従来方法におけるパリソンの波形設定を示す波形図である。
【発明を実施するための形態】
【００１９】
本発明は、クロスヘッド内部温度をパリソン設定波形の補正に用い、安定した中空成形品を得るようにした中空成形機用パリソン肉厚調整方法及び装置を提供することを目的とする。
【実施例】
【００２０】
以下、図面と共に本発明による中空成形機用パリソン肉厚調整方法及び装置の好適な実施の形態について説明する。
尚、従来例と同一又は同等部分については、同一符号を用いて説明する。
図１において符号１で示されるものは一部を省略した概略の中空成形機であり、この中空成形機１のクロスヘッド２にはコア３を内設したダイ４が設けられている。
【００２１】
前記クロスヘッド２の上部には、エアモータ又は電動モータ等の駆動体からなる肉厚調整装置５が設けられ、この肉厚調整装置５に接続されたコアロッド６によって前記コア３の上下動が自在に行われ、このコア３とダイ４との間に形成された輪状の吐出口であるダイギャップ７から押出されるパリソン８の肉厚を制御することができるように構成されている。
【００２２】
前記肉厚調整装置５には、パリソン８の肉厚９を制御するためのパリソンコントローラ１０が接続されており、このパリソンコントローラ１０は、成形条件決定時のパリソン設定波形３２ａを作成するためのパリソン波形設定部３２と、前記クロスヘッド２のクロスヘッド内部温度４０ａをパラメータとした補正式４０ｂを作成するための演算部３４と、クロスヘッド２内に設けられた温度検出センサ４２からの前記クロスヘッド内部温度４０ａを蓄積してデータを作成するクロスヘッド内部温度作成部４１と、前記演算部３４において前記補正式４０ｂにより補正された補正後パリソン設定波形２５ａを作成して前記肉厚調整装置５に入力するための補正後パリソン波形設定部２５と、から構成されている。
【００２３】
次に、動作について述べる。まず、図示しない押出機によって溶融・混練された樹脂を、クロスヘッド２によってパリソン８としてダイギャップ７から下方へ吐出させる際、このダイギャップ７の開度をコア３の上下動によって調節することにより、パリソン８の肉厚９に厚薄が生じ、パリソンコントローラ１０による肉厚９の制御を行っている。
【００２４】
前記パリソン８は、単位時間毎に図示しないカッター装置で一定の長さに切断され、この切断されたパリソン８は中空成形機１に組込まれた金型（図示せず）で挟持されて中空成形される。
前記パリソンコントローラ１０によるパリソン８の肉厚制御は、図示していないが、時間軸に対して肉厚を可変させる制御であるが、その設定はオペレータが各々成形条件決定時のパリソン設定波形３２ａを設定し、このパリソン設定波形３２ａに基づいて肉厚調整装置５を制御している方法が一般に採用され、このオペレータが設定した前記成形条件決定時のパリソン設定波形３２ａは、データとして前記演算部３４に記憶され、何時でも読み出すことができるように構成されている。
【００２５】
次に、本発明の特徴である前記クロスヘッド内部温度４０ａをパラメータとした補正式４０ｂにおけるクロスヘッド内部温度４０ａをパラメータとした補正について説明する。
まず、クロスヘッド２内のクロスヘッド内部温度４０ａを温度検出センサ４２によって測定し、このクロスヘッド内部温度４０ａをパラメータとした補正式４０ｂによって前記成形条件決定時のパリソン設定波形３２ａを補正する。
前記補正式４０ｂに基づいて前記生計条件決定時のパリソン設定波形３２ａが補正され、前記補正後パリソン設定波形設定部２５において、最終出力パリソン波形である補正後パリソン設定波形２５ａが形成され、この補正後パリソン設定波形２５ａが肉厚調整装置５に入力されてパリソン８の肉厚９の制御が行われる。
【００２６】
前記パリソン設定波形は、一例を示すと、図３の各ポイントの肉厚指令値Ｈ（Ｈ１，Ｈ２，Ｈ３，ＨＮ，ＨＮ×１，ＨＮ×２）によって構成され、この肉厚指令値Ｈは、波形設定値Ｓ、ウェイトＷ及び拡大率Ｅから計算され、実際には、図２で示されるように、ポイントとストロークを有する補正後パリソン設定波形２５ａが形成される。
【００２７】
従って、本発明では、成形条件決定時パリソン設定波形３２ａを前記ウェイトＷ、拡大率Ｅによって補正するウェイト補正モード、拡大率補正モード、任意の１次もしくは２次曲線によって補正する１次、２次補正モード、更に２つの異なる設定温度にて成形条件を決定し、２つの成形条件のクロスヘッド内部温度４０ａの差から波形設定値の補正をする実測値補正モードの４種類のいずれかを使用する。
前記ウェイト補正モード、拡大率補正モード、１次、２次補正モードについては、従来行われてきた補正式にクロスヘッド内部温度をパラメータとして導入し、クロスヘッド内部温度を測定することにより自動的に補正後パリソン設定波形２５ａが演算されるものである。その際、各々のパラメータをオペレータが入力・微調整する必要がある。
前記実測値補正モードは、２つの異なる設定温度にて成形条件を決定し、２つの成形条件のクロスヘッド内部温度４０ａの差から補正式を作成し、成形条件決定時パリソン設定波形３２ａを補正する。そのためオペレータによるパラメータの入力が必要ない。
【００２８】
従って、前述のように、クロスヘッド内部温度をパラメータとしたパリソン設定波形３２ａの補正式４０ｂを作成し、成形条件を決定した際のクロスヘッド内部温度を記憶もしくは入力することにより、成形初期のクロスヘッド内部温度４０ａとの差により、パリソン設定波形３２ａを自動補正するものである。
従って、成形初期のクロスヘッド内部温度４０ａは低いため、パリソン８はドローダウンが減少し、パリソン８上部、中部の肉厚が厚くなり全体的にはパリソン長が短くなる傾向にある。そこで、成形条件決定時のクロスヘッド内部温度４０ａと成形初期のクロスヘッド内部温度４０ａの差からクロスヘッド内部温度４０ａをパラメータとした補正式４０ｂにて計算を行い、パリソン設定波形３２ａの補正を自動で行うことにより、成形初期にオペレータがパリソン設定波形を変更しなくても安定して成形することができる。またそれに伴いオペレータの個人差が出ず、安定した成形品を打つことができる。
【００２９】
また、本発明では、成形条件時のクロスヘッド内部温度４０ａと成形初期のクロスヘッド内部温度４０ａの差からクロスヘッド内部温度４０ａをパラメータとした補正式４０ｂを次の中から選択可能にした。すなわち、前述のウェイト補正モード、拡大率補正モード、１次、２次補正モード、実測値補正モードの４種類である。前述のウェイト補正モード、拡大率補正モード、１次、２次補正モードはこれまで行われてきた補正にクロスヘッド内部温度をパラメータとして導入したものである。実測値補正モードは２つの異なる設定温度にて成形条件を決定し、２つの成形条件のクロスヘッド内部温度差から補正式を決定するものである。
前述のウェイト補正モード、拡大率補正モード、１次、２次補正モードの補正式には、各々パラメータが存在し、パラメータはオペレータにより入力する必要がある。しかし、パラメータの決定には経験による調整が必要になる。しかし、実測値補正モードは２つの成形条件から自動的に補正式が決定するためパラメータの入力が必要なく、経験による調整も必要ない。
【００３０】
尚、図４の（Ａ）には前述の実測値補正モードのフローが示され、図４の（Ｂ）には前述のウェイト／拡大率／１次、２次補正モードのフローが示されている。
すなわち、図４の（Ａ）の実測値補正モードのフローにおいては、第１ステップ１００で２つ以上の設定温度にてパリソン設定波形３２ａを作成し、第２ステップ１０１でクロスヘッド内部温度４０ａを測定し、第３ステップ１０２で前記クロスヘッド内部温度４０ａによりパリソン設定波形３２ａが自動補正され、第４ステップ１０３でコア３が補正後パリソン設定波形２５ａにより制御され動作することによって、所定の肉厚９のパリソン８が得られる。
【００３１】
また、図４の（Ｂ）には、前述のウェイト／拡大率／１次、２次補正モードのフローが示されている。
すなわち、図４の（Ｂ）の前述の各モードのフローにおいては、第１ステップ２００で、１つの設定温度にてパリソン設定波形３２ａを作成し、第２ステップ２０１でパラメータを入力し、第３ステップ２０２でクロスヘッド内部温度４０ａを測定し、第４ステップ２０３で、前記クロスヘッド内部温度４０ａによりパリソン設定波形３２ａが自動補正され、第５ステップ２０４で、コア３が補正後パリソン設定波形３２ａにより制御されて動作し、第６ステップ２０５で、パラメータの微調整を行い、以下、前記パラメータが決定するまで、第３ステップ２０２から第６ステップ３０５を矢印で示されるように繰り返す。
【産業上の利用可能性】
【００３２】
本発明による中空成形機用パリソン肉厚調整方法及び装置は、クロスヘッドに設けられた温度検出センサで得られたクロスヘッド内部温度をパラメータにした補正式を使用して成形初期から安定した成形を行うことができ、中空成形の歩留まりを大きく向上できる。
【符号の説明】
【００３３】
１    中空成形機
２    クロスヘッド
３    コア
４    ダイ
５    肉厚調整装置
６    コアロッド
７    ダイギャップ
８    パリソン
９    肉厚
１０    パリソンコントローラ
２５    補正後パリソン波形設定部
２５ａ    補正後パリソン設定波形
３２    パリソン波形設定部
３２ａ    成形条件決定時のパリソン設定波形
３４    演算部
４０ａ    クロスヘッド内部温度
４０ｂ    補正式
４１    クロスヘッド内部温度作成部
４２    温度検出センサ
【図１】
2012245693.tif 000003
【図２】
2012245693.tif 000004
【図３】
2012245693.tif 000005
【図４】
2012245693.tif 000006
【図５】
2012245693.tif 000007
【図６】
2012245693.tif 000008